(57)【要約】【課題】この発明は、トレーを取り付け、取り外し容易にすると共に、虫の後始末を容易にすることを目的としたものである。【解決手段】この発明は、器体の上部に誘虫ランプを取り付け、下部に粘着シートを接着面が垂直方向になるように取り付けた虫受け用のトレーを挿脱係止自在に架設したことを特徴とする捕虫器により目的を達成した。【選択図】      図１
2004275035.tif 000002
【特許請求の範囲】
【請求項１】
器体の上部に誘虫ランプを取り付け、下部に粘着シートを接着面が垂直方向になるように取り付けた虫受け用のトレーを挿脱係止自在に架設したことを特徴とする捕虫器。
【請求項２】
支持杆の両側にランプ接続端子と点灯回路を収容した匣部を固定して器体を構成し、該器体の上部に誘虫ランプを取り付け、該誘虫ランプの下部に粘着シートを接着面が垂直方向になるように取り付けた虫受け用のトレーの両側を挿脱係止自在に架設したことを特徴とする捕虫器。
【請求項３】
器体の上部に誘虫ランプを取り付け、下部に粘着シートを接着面が垂直方向になるように取り付けた虫受け用のトレーを挿脱係止自在に架設し、前記粘着シートが側方又は下から見えないように前記トレーの長平方向の両壁で被覆し、前記粘着シートに常時張力を付与したことを特徴とする捕虫器。
【請求項４】
挿脱係止自在は、匣部の内側壁下部に横溝を設け、該横溝にトレーの支片を挿入し、該支片を前記横溝の段溝へ嵌入したことを特徴とする請求項１、２、３の何れか１つ記載の捕虫器。
【請求項５】
器体の上部に誘虫ランプを取り付け、下部に粘着シートを取り付けた虫受け用のトレーを着脱自在に架設し、前記粘着シートの一側をトレーの一側にスプリングを介して係止し、前記粘着シートの他側を保持器に固定し、該保持器をトレーの他側に取り付けた枠に嵌挿固定し、前記粘着シートを緊張した状態に保持させたことを特徴とする捕虫器。
【発明の詳細な説明】
【０００１】
【発明の属する技術分野】
この発明は、誘虫灯に誘引されて集まった虫を捕らえると共に、これを容易に始末できるようにトレーの着脱係止を容易にし、かつ粘着シートを緊張保持させることを目的とした捕虫器に関する。
【０００２】
【従来の技術】
従来誘虫灯に群がった虫類を粘着シートに接着してとらえる捕虫器が知られている。
【０００３】
【特許文献】特開平１１−４６６５７号
【０００４】
【発明により解決しようとする課題】
前記従来の捕虫器は、器体とトレーが固定（例えばねじで固定）しており、トレーと粘着シートが固定してあるなど、捕虫された虫類の排除（清掃）が面倒であったり、空調器の風で、トレー中の虫が移動して落下したり粘着シートの取り付け又は替えに時間がかかるなどの問題点があった。
【０００５】
また、他の発明では粘着シートが外部から丸見えになって、視感を害するおそれがあった。特に、捕虫器を人体の目より高い場所に吊す場合に、トレーが容易に外され、かつ取り付け容易で、確実に固定されなければならなかったが、従来の捕虫器では、固定確実な場合には取り付け取り外しが面倒になる問題点があった。
【０００６】
【課題を解決するための手段】
この発明は、器体へ粘着シート付のトレーを挿脱係止自在に取り付けると共に、トレーを粘着シートの側方を覆う程度に深くし、下方又は側方から、粘着シートが丸見えにならないようにして、かつ粘着シートの取り付けに工夫を加えて前記従来の問題点を解決したものである。
【０００７】
即ち、この発明は、器体の上部に誘虫ランプを取り付け、下部に粘着シートを接着面が垂直方向になるように取り付けた虫受け用のトレーを挿脱係止自在に架設したことを特徴とする捕虫器であり、支持杆の両側にランプ接続端子と点灯回路を収容した匣部を固定して器体を構成し、該器体の上部に誘虫ランプを取り付け、該誘虫ランプの下部に粘着シートを接着面が垂直方向になるように取り付けた虫受け用のトレーの両側を挿脱係止自在に架設したことを特徴とする捕虫器である。
【０００８】
また、他の発明は、器体の上部に誘虫ランプを取り付け、下部に粘着シートを接着面が垂直方向になるように取り付けた虫受け用のトレーを挿脱係止自在に架設し、前記粘着シートが側方又は下から見えないように前記トレーの長平方向の両壁で被覆し、前記粘着シートに常時張力を付与したことを特徴とする捕虫器であり、挿脱係止自在は、匣部の内側壁下部に横溝を設け、該横溝にトレーの支片を挿入し、該支片を前記横溝の段溝へ嵌入したことを特徴とするものである。
【０００９】
更に、他の発明は、器体の上部に誘虫ランプを取り付け、下部に粘着シートを取り付けた虫受け用のトレーを着脱自在に架設し、前記粘着シートの一側をトレーの一側にスプリングを介して係止し、前記粘着シートの他側を保持器に固定し、該保持器をトレーの他側に取り付けた枠に嵌挿固定し、前記粘着シートを緊張した状態に保持させたことを特徴とする捕虫器である。
【００１０】
この発明におけるトレーは、縦断面を凹弧状とし、又は平底の両縁を高くするなどの形状として、中央部に設置した粘着シートが横方向又は斜下方向から見えないような形状にしてある。
【００１１】
前記目的を達成する為に、トレーの側壁に補助側壁を取り付けることも考えられる。要は、粘着シートに虫が接着（付着）した状態が外部からほぼ見えない構造が好ましい。
【００１２】
【発明の実施の形態】
この発明は、器体へトレーを着脱自在に取り付けるに当たり、固定ねじなどを用いないで、単に挿脱するのみで、着脱できる構造とした。
【００１３】
この発明は、トレーへ粘着シートを縦に取り付けると共に、粘着シートを緊張して取り付け、かつ取り外しを容易にした。
【００１４】
この発明は、捕虫器を通常の状態で使用した際に、粘着シートが見えないようにすると共に、粘着シートへ虫が接着した外観が見えないようにする構造を採用した。
【００１５】
この発明においては、粘着シートの取り換えが容易であり、かつトレーの着脱が簡単容易であり、取り付けたトレーは、振動その他、意に反する方向の外力では自動的に外れないような構造を採用した。
【００１６】
【実施例１】
この発明の実施例を図１、２，３に基づいて説明する。支持杆１の両側に、匣部４、４を固定し、該匣部４、４にランプ２の接続端子３、３を取り付けると共に、ランプ２の点灯に必要な回路その他の灯具を匣部４、４に収容する。
【００１７】
前記匣部４、４の内側壁下部に、トレー５の左右両側壁６、６に設けた支片７、７を受け止める溝８、８を設ける。
【００１８】
前記トレー５は、断面凹弧状であって、その前後壁９、９は、トレー５内へ縦に設置する粘着シート１０の高さとほぼ同程度の高さにしてある（図２−（ｂ））。
【００１９】
従って、トレー５の前後の横又は斜下方向から粘着シート１０が見えないようにしてある。前記溝８の中間部に、段溝８ａを設け、支片７が、段溝８ａに嵌って、トレー５の自動脱抜を防止している。そこで、トレー５を外すには、まずトレー５を矢示１１のように持ち上げ、ついで矢示１２のように移動する（図３−（ａ））。
【００２０】
このようにして、トレー５は容易に挿脱係止自在であるが、意に反して外れるおそれはない。
【００２１】
前記構造は一例であるが、溝８、段溝８ａの形状又は支片７の形状に制約はないから、同一作用効果の係止構造を応用することができる。
【００２２】
【実施例２】
この発明のトレー５に粘着シートを固定する実施例を図２、４について説明する。トレー５の両側壁６、６の両側壁に支片７、７を固定し、支片７、７を匣部４、４の溝８、８に矢示１９、１９のように挿入し、段溝８ａによりトレー５を容易確実に取り付ける（図２−（ａ））。
【００２３】
また、粘着シート１０の一側に引出しタブ１３を固定し、粘着シート１０の他側に容器１４を連結し、該容器１４をトレー５の一側に固定した案内枠１５に挿入係止して固定する。
【００２４】
前記容器１４には、蓋２１が被冠してあり、蓋２１には、粘着シート１０を引き出す隙間２１ａが設けてある。
【００２５】
そこで、粘着シート使用時には、タブ１３と共に、粘着シート１０を隙間２１ａから引き出す（図４−（ｄ））。
【００２６】
また、粘着シート１０の基部は、巻芯２２に固定してあるので、巻芯２２は隙間２１ａを通過することなく、容器１４内へ上がる。
【００２７】
前記タブ１３の透孔１３ａに鈎棒１６の鈎１６ａを掛け、前記鈎棒１６の基部にはスプリング１７を嵌装し、該スプリング１７はトレー５の側壁６に固定した取付板１８と、鈎棒１６の頭部１６ｂとの間に介装して付勢されるようにしてある。そこで、鈎棒１６の鈎１６ａにタブ１３の透孔１３ａを掛けると、タブ１３は矢示２０の方向へ引っ張られ、粘着シート１０を張ることになる。従って、粘着シート１０は常時引張状態でセットされている。
【００２８】
前記実施例中図４（ａ）は、粘着シート１０を張設する一例を示したが、これに限定されるものではない。
【００２９】
従って、トレー５に粘着シート１０を張設する状態を保つことを要旨とするものである。
【００３０】
【発明の効果】
この発明は、ランプの熱で落下した虫を粘着シートで捕らえると共に、トレーに落下した虫の始末を簡単に行うことができる効果がある。
【００３１】
また、粘着シートが人目に触れるおそれがなく、視感を害するおそれもない。
【００３２】
更に、トレーを簡単に取り付け、取り外しできるので、虫の始末が容易であり、粘着シートの取り換えも簡単容易にできるなどの諸効果がある。
【図面の簡単な説明】
【図１】この発明の実施例の一部を省略した正面図。
【図２】（ａ）同じくトレーの取り外し状態を示す説明図。
（ｂ）同じく図（ａ）中Ａ−Ａ線の端面図。
【図３】（ａ）同じく図２−（ａ）中Ｂ矢示の一部を省略した側面図。
（ｂ）同じくトレーの一部を省略した上方からの拡大斜視図。
【図４】（ａ）同じく粘着シート取り付けの実施例の一部を省略した斜視図。
（ｂ）同じく粘着シートの収容時の拡大斜視図。
（ｃ）同じく粘着シートのタブと、鈎棒の関係を示す拡大斜視図。
（ｄ）同じく粘着シートを引き出した状態の一部を省略した拡大斜視図。
【符号の説明】
１    支持杆
２    ランプ
３    接続端子
４    匣部
５    トレー
６    側壁
７    支片
１０  粘着シート
１３  引出しタブ
１４  容器
１６  鈎棒
２１  蓋
【図１】
2004275035.tif 000003
【図２】
2004275035.tif 000004
【図３】
2004275035.tif 000005
【図４】
2004275035.tif 000006